(57)【要約】【課題】プレテンション方式によるプレストレストコンクリート製品を安価に製造できる方法及び装置を提供する。【解決手段】プレストレストコンクリート製造用型枠１を貫通する状態に配置された多数本のプレストレス導入用緊張材２の緊張端側２ａを油圧ジャッキ３により１本ずつ個別に緊張させ、前記型枠１内に打設したコンクリート４の硬化後、全本数の緊張材２による緊張状態を機械的なプレテンション解放装置Ａにより同時に解放して、コンクリート製品にプレストレスを導入する。【選択図】        図７
2004243709.tif 000002
【特許請求の範囲】
【請求項１】
プレストレストコンクリート製造用型枠を貫通する状態に配置された複数本のプレストレス導入用緊張材の緊張端側を油圧ジャッキにより個別的に緊張させ、前記型枠内に打設したコンクリートの硬化後、全本数の緊張材による緊張状態を機械的な手段により同時に解放して、コンクリート製品にプレストレスを導入することを特徴とするプレストレストコンクリート製品の製造方法。
【請求項２】
プレストレストコンクリート製造用型枠を貫通する状態に配置された複数本のプレストレス導入用緊張材の緊張端側を個別的に緊張させる当該緊張材の本数よりも少ない台数の油圧ジャッキと、前記型枠内に打設したコンクリートの硬化後、全本数の緊張材による緊張状態を同時に解放して、コンクリート製品にプレストレスを導入する機械的なプレテンション解放装置とを備えて成ることを特徴とするプレストレストコンクリート製品の製造装置。
【請求項３】
請求項２に記載のプレストレストコンクリート製品の製造装置であって、プレストレストコンクリート製造用型枠に沿って設けられた圧縮梁の一端に、前記型枠を貫通する状態に配置された複数本のプレストレス導入用緊張材の固定端側を支持する固定端支持装置を設け、前記圧縮梁の他端には、前記緊張材の緊張端側を支持する緊張端支持装置を設け、緊張端支持装置と固定端支持装置のうち一方を圧縮梁に対してその長手方向に移動可能に構成し、この移動可能な支持装置と圧縮梁との間に、当該支持装置の圧縮梁側への移動を阻止する第一状態と移動を許容する第二状態とに切換え可能に構成された機械的なプレテンション解放装置を設けたことを特徴とするプレストレストコンクリート製品の製造装置。
【請求項４】
請求項３に記載のプレストレストコンクリート製品の製造装置圧であって、圧縮梁に対してその長手方向に移動可能な状態に設けられた可動枠と、当該可動枠に固定され且つプレストレス導入用緊張材を挿入する複数の貫通孔が形成された支圧板とで前記の移動可能な支持装置を構成し、可動枠と圧縮梁との間に、圧縮梁の長手方向と直角な軸芯周りに回転自在で且つ逆ねじ部が形成された回転軸を設け、前記逆ねじ部には、斜面の傾斜方向を互いに逆にしたキャンバーを螺着する一方、可動枠と圧縮梁との相対向する面には、夫々、前記キャンバーの斜面と対向する斜面が形成されたキャンバー受けを設け、前記回転軸の回転操作により、前記キャンバーを互いに逆方向に移動させて、前記支持装置の圧縮梁側への移動を阻止する第一状態と、移動を許容する第二状態とに切り換えるプレテンション解放装置を構成したことを特徴とするプレストレストコンクリート製品の製造装置。
【請求項５】
請求項４に記載のプレストレストコンクリート製品の製造装置であって、逆ねじ部が形成された２本の軸体を同芯状に連結して回転軸を構成し、両逆ねじ部に夫々斜面の傾斜方向を互いに逆にしたキャンバーを螺着する一方、可動枠と圧縮梁との相対向する面には、回転軸の軸芯方向の二位置に、夫々、前記キャンバーの斜面と対向する斜面が形成されたキャンバー受けを設けたことを特徴とするプレストレストコンクリート製品の製造装置。
【請求項６】
請求項４又は５に記載のプレストレストコンクリート製品の製造装置であって、圧縮梁の両側にプレストレストコンクリート製造用型枠を対称的に設け、圧縮梁に対してその長手方向に移動可能な状態に設けられた可動枠の両端に、夫々、プレストレス導入用緊張材を挿入する複数の貫通孔が形成された支圧板を固定し、可動枠の両端近傍部と圧縮梁との間に、２台のプレテンション解放装置を設けたことを特徴とするプレストレストコンクリート製品の製造装置。
【発明の詳細な説明】
【０００１】
【発明の属する技術分野】
本発明は、プレテンション方式によるプレストレストコンクリート製品の製造方法及び装置に関するものであり、例えば、橋梁用ハーフＰＣ版等の製造に利用される。
【０００２】
【従来の技術】
【特許文献１】
特開２００１−３１０３１８号公報
【０００３】
プレテンション方式によるプレストレストコンクリート製品の製造方法及び装置としては、プレストレストコンクリート製造用型枠を貫通する状態に配置された複数本のプレストレス導入用緊張材の緊張端側を１台の大出力の油圧ジャッキで同時に緊張させる方式と、上記の特許文献１に記載されている通り、各緊張材毎にセットした複数台（緊張材の本数と同じ台数）の小出力の油圧ジャッキで同時に緊張させる方式とが知られている。両方式とも、油圧ジャッキによる緊張後、ナットやクサビ等を利用した定着具（チャック）により、緊張材の緊張端を支圧板（チャック受けプレート）に固定し、油圧ジャッキによる牽引を解いても、緊張材の緊張状態が保たれるように構成されている。
【０００４】
前者の方式では、高価な大型の油圧ジャッキとその駆動源が必要であり、後者の方式では、多数の小型の油圧ジャッキとその駆動源が必要であるから、何れの方式においても、油圧ジャッキとその駆動源が高く付いて、装置費が嵩み、製品価格が高くなるという問題点があった。
【０００５】
また、コンクリートの硬化後、緊張材の緊張状態（プレテンション）を解放して、コンクリート製品にプレストレスを導入する際、全本数の緊張材の緊張状態を同時に解放することが必要であるが、上記両方式では、コンクリートの硬化後、再度、油圧ジャッキを稼動することにより、支圧板（チャック受けプレート）から突出している緊張材部分を牽引して、定着具に作用している圧縮力を解放し、この状態で、全部の定着具の緩め操作を行い、しかる後、油圧ジャッキによる牽引を解くといった作業手順が必要である。従って、プレストレス導入時（プレテンションの解放時）にも、油圧ジャッキを使用する必要があり、このことが作業能率を低下させ、製品価格を高くする一因ともなっていた。
【０００６】
【発明が解決しようとする課題】
本発明は、上記の問題点を考慮に入れてなされたものであって、その目的とするところは、プレテンション方式によるプレストレストコンクリート製品を安価に製造できる方法及び装置を提供するにある。
【０００７】
【課題を解決するための手段】
上記の課題を解決するために、本発明が講じた技術手段は、次の通りである。即ち、請求項１に記載の発明によるプレストレストコンクリート製品の製造方法は、プレストレストコンクリート製造用型枠を貫通する状態に配置された複数本のプレストレス導入用緊張材の緊張端側を油圧ジャッキにより個別的に緊張させ、前記型枠内に打設したコンクリートの硬化後、全本数の緊張材による緊張状態を機械的な手段により同時に解放して、コンクリート製品にプレストレスを導入することを特徴としている。
【０００８】
上記の構成によれば、複数本のプレストレス導入用緊張材の緊張端側を油圧ジャッキにより個別的に緊張させるので、油圧ジャッキの台数が緊張材の本数よりも少なくて済み、且つ、油圧ジャッキやその駆動源として小出力のものを使用できる。
【０００９】
しかも、全本数の緊張材による緊張状態を機械的な手段により同時に解放して、コンクリート製品にプレストレスを導入するので、プレストレス導入時（プレテンションの解放時）に油圧ジャッキを使用する必要がない。
【００１０】
従って、これらの結果として、プレテンション方式によるプレストレストコンクリート製品を安価に製造できる。
【００１１】
請求項２に記載の発明によるプレストレストコンクリート製品の製造装置は、プレストレストコンクリート製造用型枠を貫通する状態に配置された複数本のプレストレス導入用緊張材の緊張端側を個別的に緊張させる当該緊張材の本数よりも少ない台数の油圧ジャッキと、前記型枠内に打設したコンクリートの硬化後、全本数の緊張材による緊張状態を同時に解放して、コンクリート製品にプレストレスを導入する機械的なプレテンション解放装置とを備えて成ることを特徴としている。
【００１２】
上記の構成によれば、請求項１に記載した発明に係るプレストレストコンクリート製品の製造方法を実施する安価な製造装置が実現される。
【００１３】
請求項２に記載の発明に係るプレストレストコンクリート製品の製造装置としては、種々の具体的な構成を採用でき、例えば、請求項３に記載の発明のように、プレストレストコンクリート製造用型枠に沿って設けられた圧縮梁の一端に、前記型枠を貫通する状態に配置された複数本のプレストレス導入用緊張材の固定端側を支持する固定端支持装置を設け、前記圧縮梁の他端には、前記緊張材の緊張端側を支持する緊張端支持装置を設け、緊張端支持装置と固定端支持装置のうち一方を圧縮梁に対してその長手方向に移動可能に構成し、この移動可能な支持装置と圧縮梁との間に、当該支持装置の圧縮梁側への移動を阻止する第一状態と移動を許容する第二状態とに切換え可能に構成された機械的なプレテンション解放装置を設けてもよい。
【００１４】
また、請求項３に記載の発明に係るプレストレストコンクリート製品の製造装置において、機械的なプレテンション解放装置としては、種々の具体的な構成を採用できるが、例えば、請求項４に記載の発明のように、圧縮梁に対してその長手方向に移動可能な状態に設けられた可動枠と、当該可動枠に固定され且つプレストレス導入用緊張材を挿入する複数の貫通孔が形成された支圧板とで前記の移動可能な支持装置を構成し、可動枠と圧縮梁との間に、圧縮梁の長手方向と直角な軸芯周りに回転自在で且つ逆ねじ部が形成された回転軸を設け、前記逆ねじ部には、斜面の傾斜方向を互いに逆にしたキャンバーを螺着する一方、可動枠と圧縮梁との相対向する面には、夫々、前記キャンバーの斜面と対向する斜面が形成されたキャンバー受けを設け、前記回転軸の回転操作により、前記キャンバーを互いに逆方向に移動させて、前記支持装置の圧縮梁側への移動を阻止する第一状態と、移動を許容する第二状態とに切り換えるプレテンション解放装置を構成することが、次の点で好ましい。
【００１５】
即ち、上記の構成によれば、前記回転軸を例えばラチェット機構付きのハンドル等で回転操作するといった単純な操作により、第一状態と第二状態とに容易に切り換えることができ、しかも、両キャンバーの斜面とキャンバー受けの斜面とが面接触するので、全本数の緊張材が緊張状態に保持されたプレテンション状態において作用する強大な圧縮力に耐えることができ、堅牢なプレテンション解放装置が実現される。
【００１６】
尚、請求項５に記載の発明のように、逆ねじ部が形成された２本の軸体を同芯状に連結して回転軸を構成し、両逆ねじ部に夫々斜面の傾斜方向を互いに逆にしたキャンバーを螺着する一方、可動枠と圧縮梁との相対向する面には、回転軸の軸芯方向の二位置に、夫々、前記キャンバーの斜面と対向する斜面が形成されたキャンバー受けを設けることは、緊張材の本数が多くて、支圧板の長さが長くなっても、支圧板の全体を確実かつ正確に平行移動させ得る点で好ましい。
【００１７】
また、請求項６に記載の発明のように、請求項４又は５に記載のプレストレストコンクリート製品の製造装置において、圧縮梁の両側にプレストレストコンクリート製造用型枠を対称的に設け、圧縮梁に対してその長手方向に移動可能な状態に設けられた可動枠の両端に、夫々、プレストレス導入用緊張材を挿入する複数の貫通孔が形成された支圧板を固定し、可動枠の両端近傍部と圧縮梁との間に、２台のプレテンション解放装置を設けることは、圧縮梁の共用による装置構成の簡略化や、プレストレストコンクリート製品の製造能率の向上等による低コスト化を図り得る点で好ましい。
【００１８】
【発明の実施の形態】
先ず、本発明に係るプレストレストコンクリート製品の製造装置の一例を図面に基づいて説明する。この製造装置は、プレストレストコンクリート製造用型枠１を貫通する状態に配置された複数本（図示の例では１４本）のプレストレス導入用緊張材２の緊張端側２ａを個別的に緊張させる当該緊張材２の本数よりも少ない台数（図示の実施形態では１台）の油圧ジャッキ３と、前記型枠１内に打設したコンクリート４の硬化後、全本数の緊張材２による緊張状態を同時に解放して、コンクリート製品にプレストレスを導入する機械的なプレテンション解放装置Ａとを備えて成る。緊張材２としては、例えば、ＰＣ鋼線、ＰＣ鋼より線、ＰＣ鋼棒等が使用される。尚、図１においては、図面を簡略化するために、二点鎖線で図示した緊張材２の一部を省略している。
【００１９】
より詳しく説明すると、図において、５は、プレストレストコンクリート製造用型枠１に沿って設けられた圧縮梁であり、上下２段に配置した角型鋼管５ａ，５ｂと、上下の角型鋼管５ａ，５ｂの両端同士を連結する端部連結枠５ｃ，５ｄ及び中間部同士を連結する中間連結枠５ｅ等によって構成されている。端部連結枠５ｃ，５ｄの両側部には、前記緊張材２を挿通するための長孔Ｈが形成されている（図９参照）。前記プレストレストコンクリート製造用型枠１は、圧縮梁５の両側に対称的に設けられており、各々の型枠１は、図３に示すように、底枠６に対して固定された底型枠１ａ及び内側型枠１ｂ、底枠６に対して直角に設けられたガイドレール７に沿って移動可能な外側型枠１ｃ、端面型枠１ｄ等によって構成され、端面型枠１ｄには、必要個数（緊張材２の本数）の緊張材挿通孔が形成されている。
【００２０】
尚、この実施形態では、製造するコンクリート製品の長さ毎に端面型枠１ｄが配置されている。図示しないが、端面型枠１ｄのうち、中間部に位置する端面型枠１ｄは、緊張材挿通孔を境にして内外に分割可能に構成されており、外側の端面型枠部分を取り外すことにより、外側方からの作業で緊張材２の切断を行えるように構成されている。また、この例では、一度に多数のコンクリート製品を製造可能とするために、図１、図２に示すように、前記圧縮梁５が長手方向中央で角型鋼管５ａ，５ｂを継ぎ足した長尺物に構成されているが、これは本発明に必要不可欠な構成ではない。
【００２１】
前記圧縮梁５の一端には、前記緊張材２の固定端側２ｂを支持する固定端支持装置Ｂが設けられており、圧縮梁５の他端には、前記緊張材２の緊張端側２ａを支持する緊張端支持装置Ｃが設けられている。緊張端支持装置Ｃと固定端支持装置Ｂは、夫々、定着具８を介して前記緊張材２の緊張端側２ａと固定端側２ｂを支持するように構成されている。定着具８としては、ナットやクサビ等を利用した種々の既知構造の定着具８を緊張材２の種類に応じて選択可能である。この例では、前記緊張材２としてＰＣ鋼より線を使用しているので、クサビ体とそれを拘束する外筒とから成る二重構造の定着具（チャック）８が使用されている。
【００２２】
緊張端支持装置Ｃは、圧縮梁５に対してその長手方向に移動可能に構成されており、緊張端支持装置Ｃと圧縮梁５との間に前記プレテンション解放装置Ａを設けて、緊張端支持装置Ｃの固定端支持装置Ｂ側への移動を阻止する第一状態と移動を許容する第二状態とに切換え可能に構成されている。
【００２３】
より詳しく説明すると、前記圧縮梁５の端部連結枠５ｃには、上下複数段の水平枠９が突設され、各段の水平枠９の先端同士は垂直枠１０で連結されている。前記緊張端支持装置Ｃは、前記水平枠９によって圧縮梁５の長手方向に移動可能な状態に支持された上下複数段の横枠１１ａと当該横枠１１ａの両端同士を連結する左右一対の中空構造の縦枠１１ｂとから成る可動枠１１と、当該可動枠１１の両端、つまり、中空構造の縦枠１１ｂに、夫々、着脱交換可能な状態にボルト１２で固定された左右一対の支圧板１３とで構成されており、各支圧板１３には、夫々、前記緊張材２の緊張端側２ａを挿入する複数の貫通孔が形成されている。そして、可動枠１１の両端近傍部、具体的には、最上段の横枠１１ａの両端及び最下段の横枠１１ａの両端と、これに対向する圧縮梁５の端部連結枠５ｃとの間に、２台のプレテンション解放装置Ａを設けてある。
【００２４】
各プレテンション解放装置Ａは、斜面Ｓ１の傾斜方向を互いに逆にし、逆ねじの作用により互いに遠近移動する少なくとも一対のキャンバー（クサビ体）１４ａ，１４ｂを備えた支持部材１５ａと、可動枠１１と圧縮梁５との相対向する面に設けられて前記支持部材１５ａのキャンバー１４ａ，１４ｂを挟持する挟持部材１５ｂとから構成されている。
【００２５】
前記支持部材１５ａは、逆ねじ部ａが形成された２本の軸体ｂをカップラーｃで同芯状に連結して構成した縦軸芯（圧縮梁５の長手方向と直角な軸芯）周りに回転自在な回転軸１６と、前記逆ねじ部ａに一対ずつ螺着した斜面の傾斜方向を互いに逆にした４個のキャンバー１４ａ，１４ｂとで構成されている。
【００２６】
前記挟持部材１５ｂは、最上段及び最下段の横枠１１ａと圧縮梁５の端部連結枠５ｃとの相対向する面で且つ前記回転軸１６の軸芯方向に間隔を隔てた二位置に、夫々、各対のキャンバー１４ａ，１４ｂの斜面Ｓ１と対向して面接触する斜面Ｓ２が形成されたキャンバー受け１７を固着することにより構成されている。
【００２７】
そして、前記回転軸１６の上端に装着したラチェット機構付きハンドル等（図示せず）で当該回転軸１６を正転・逆転操作することによって、前記キャンバー１４ａ，１４ｂを逆ねじの作用により互いに逆方向に移動させて、緊張端支持装置Ｃの固定端支持装置Ｂ側への移動を阻止する第一状態と、移動を許容する第二状態とに切り換えるように構成されている。
【００２８】
尚、前記挟持部材１５ｂは、可動枠１１や圧縮梁５に対して分離可能に構成されており、回転軸１６の下端を圧縮梁５の端部連結枠５ｃに突設した受け片１８で支持するように構成されている。また、前記キャンバー受け１７には、図９に示すように、前記斜面Ｓ２の両側に、垂直なガイド面Ｓ３が形成され、前記キャンバー１４ａ，１４ｂの両側面は、前記キャンバー受け１７のガイド面Ｓ３により案内される垂直面Ｓ４に形成されている。
【００２９】
従って、前記挟持部材１５ｂは、可動枠１１や圧縮梁５に対して分離可能であるが、回転軸１６の下端が受け片１８で支持されることにより、落下が阻止され、キャンバー１４ａ，１４ｂの垂直面Ｓ４がキャンバー受け１７のガイド面Ｓ３で上下方向スライド自在に支持されることにより、左右方向への移動（傾き）が阻止されることになる。
【００３０】
前記固定端支持装置Ｂは、図１０に示すように、前記緊張端支持装置Ｃと実質的に同じ構造であり、圧縮梁５に対して固定されている点と前記プレテンション解放装置Ａが設けられていない点で相違するだけであるから、詳細な説明は省略する。前記圧縮梁５の中央継足し部では、図１１に示すように、相対向する端面型枠１ｄ間に緊張材２が露出しており、プレストレス導入後、外側方からの作業によって、緊張材２を切断できるように構成されている。
【００３１】
次に、上記の製造装置を使用したプレストレストコンクリート製品の製造方法を説明する。
【００３２】
先ず、図７に示すように、逆ねじ部ａに螺着した各対のキャンバー１４ａ，１４ｂを互いに接近させた状態（第一状態）とし、この状態で、全本数のプレストレス導入用緊張材２を、前記プレストレストコンクリート製造用型枠１を貫通した状態に配置する。
【００３３】
しかる後、全本数のプレストレス導入用緊張材２の緊張端側２ａを油圧ジャッキ３により個別的に緊張させる。上述した実施の形態では、プレストレストコンクリート製造用型枠１が圧縮梁５の両側に対称的に設けられていて、且つ、油圧ジャッキ３が１台だけであるから、左右両側の型枠１に配置された複数の緊張材群のうち、最初に、例えば左側の型枠１の中央部に位置する１本の緊張材２を緊張させて、その緊張状態を定着具８で保持させた後、右側の型枠１の中央部に位置する１本の緊張材２に油圧ジャッキ３を移して当該緊張材２を緊張させ、その緊張状態を定着具８で保持させた後、その上部（又は下部）に隣接位置する緊張材２に油圧ジャッキ３を移して同じ緊張作業を行い、しかる後、左側の型枠１における中央部の緊張材の下部（又は上部）に隣接位置する緊張材２に油圧ジャッキ３を移して同じ緊張作業を行うといったように、左右対称的に、且つ、中央から両側方へと順次、交互に緊張させていくことが、支圧板１３の変形による緊張力の低下等を防止する上で望ましい。同時に２台の油圧ジャッキ３を使用する場合であれば、最初に、例えば左右両側の型枠１の中央に夫々位置する２本の緊張材２を同時に緊張させて、その緊張状態を定着具８で保持させた後、左側型枠１の中央部緊張材の上部（又は下部）に隣接位置する緊張材２と、右側型枠１の中央部緊張材の下部（又は上部）に隣接位置する緊張材２とに油圧ジャッキ３を移して同じ緊張作業を行うといったように、対称的に緊張させていくことが、同じ理由により好ましい。
【００３４】
図示しないが、型枠１及び油圧ジャッキ３の夫々が１台だけの場合には、複数の緊張材群のうち、最初に、中央部に位置する１本の緊張材２を緊張させて、その緊張状態を定着具８で保持させた後、その片側に隣接位置する緊張材２に油圧ジャッキ３を移して同じ緊張作業を行い、次に、反対側に隣接位置する緊張材２に油圧ジャッキ３を移して同じ緊張作業を行うといったように、中央から両側方へと順次、交互に緊張させていくことが、同じ理由により好ましい。また、型枠１が１台だけであって、且つ、同時に２台の油圧ジャッキ３を使用する場合にも、例えば、最初に、中央部に位置する２本の緊張材２を緊張させて、その緊張状態を定着具８で保持させた後、それらの両外側に隣接位置する２本の緊張材２に油圧ジャッキ３を移して同じ緊張作業を行うといったように、中央部から外側へと順次、対称的に緊張させていくことが、同じ理由により好ましい。
【００３５】
このように、多数本の緊張材２を個別的に（好ましくは１本ずつ）緊張させるため、油圧ジャッキ３の必要台数が少なく且つ油圧ジャッキ３やそ駆動源として小出力のものを使用できることになる。全本数の緊張材２について緊張作業を完了した時点で、油圧ジャッキ３を回収し、他の製造装置へと転用する。油圧ジャッキ３としては、例えば、図４に示すように、緊張材２を挿通可能で且つ支圧板１３に当接させる筒部の側面に、定着具８を締付け操作するための開口が形成された既知構造のものが使用される。
【００３６】
緊張材２の緊張状態（プレテンション）を保持した状態で、型枠１内にコンクリート４を打設し、所定の養生期間が経過して、所要強度が発現するまでコンクリート４が硬化したら、前記回転軸１６を所定方向に回転操作する。
【００３７】
これにより、各対のキャンバー１４ａ，１４ｂが、図８に示すように、逆ねじ部ａの作用によって互いに遠ざかる方向へ移動する（第二状態になる）ので、キャンバー１４ａ，１４ｂによる圧縮力の支持が失われ、全本数の緊張材２の緊張状態（プレテンション）が同時に解放されて、コンクリート４にプレストレスが導入されることになる。換言すれば、定着具８を介して緊張端支持装置Ｃに作用していた強大な圧縮力が同時に解放され、定着具８の緩め操作が可能な状態となる。
【００３８】
この場合、逆ねじ部ａが形成された２本の軸体ｂを同芯状に連結して回転軸１６を構成し、両逆ねじ部ａに夫々斜面Ｓ１の傾斜方向を互いに逆にしたキャンバー１４ａ，１４ｂを一対ずつ螺着する一方、可動枠１１と圧縮梁５との相対向する面には、回転軸１６の軸芯方向の二位置に、夫々、各対のキャンバー１４ａ，１４ｂの斜面Ｓ１と対向する斜面Ｓ２が形成されたキャンバー受け１７を設けてあるので、緊張材２の本数が多くて、支圧板１３の長さが長くなっても、支圧板１３の全体を確実かつ正確に平行移動させ得るのである。
【００３９】
しかる後、脱型、所定位置での緊張材の切断等の工程を経て、プレストレストコンクリート製品が装置外に取り出されることになる。
【００４０】
尚、図示した実施形態では、２台のプレテンション解放装置Ａの回転軸１６をラチェット機構付きハンドル等（図示せず）で各別に回転操作するように構成したが、両回転軸１６間に連動機構を設けて、両回転軸１６が同時に回転するように構成して実施してもよい。また、図示した実施形態では、緊張端支持装置Ｃと固定端支持装置Ｂのうち、緊張端支持装置Ｃを圧縮梁５に対してその長手方向に移動可能に構成し、緊張端支持装置Ｃと圧縮梁５との間に前記プレテンション解放装置Ａを設けて、緊張端支持装置Ｃの固定端支持装置Ｂ側への移動を阻止する第一状態と移動を許容する第二状態とに切換え可能に構成したが、本発明は、これとは逆に、固定端支持装置Ｂを圧縮梁５に対してその長手方向に移動可能に構成し、固定端支持装置Ｂと圧縮梁５との間にプレテンション解放装置Ａを設けて、固定端支持装置Ｂの緊張端支持装置Ｃ側への移動を阻止する第一状態と移動を許容する第二状態とに切換え可能に構成して実施することも可能である。換言すれば、図１、図２で示した構成において、緊張材２をプレテンション解放装置Ａとは反対側から油圧ジャッキで引っ張って緊張させるように構成してもよい。
【００４１】
以上の通り、本発明に係るプレストレストコンクリート製品の製造装置によれば、多数本の緊張材２を個別的に（好ましくは１本ずつ）緊張させるため、油圧ジャッキ３の数が少なくて済むだけでなく、油圧ジャッキ３やその駆動源として小出力のものを使用できて、装置費を低減できることと、全本数の緊張材２による緊張状態を機械的な手段により同時に解放して、コンクリート製品にプレストレスを導入するので、プレストレス導入時（プレテンションの解放時）に油圧ジャッキ３を使用する必要がないこととによって、プレストレストコンクリート製品の価格を低減できるのである。
【００４２】
【発明の効果】
本発明は、上述した構成よりなり、プレテンション方式によるプレストレストコンクリート製品を安価に製造できる等の効果がある。
【図面の簡単な説明】
【図１】本発明に係るプレストレストコンクリート製品の製造装置の一例を示す概略側面図である。
【図２】上記プレストレストコンクリート製品の製造装置の概略平面図である。
【図３】図１のＡ−Ａ線断面拡大図である。
【図４】緊張端側における要部の側面図である。
【図５】緊張端側における要部の平面図である。
【図６】緊張端側における要部の正面図である。
【図７】プレテンション解放装置の構成を示す要部の縦断側面図である。
【図８】プレテンション解放装置の構成を示す要部の縦断側面図である。
【図９】プレテンション解放装置の構成を示す一部切欠き分解斜視図である。
【図１０】固定端側における要部の側面図である。
【図１１】中央継足し部における要部の側面図である。
【符号の説明】
Ａ…プレテンション解放装置、Ｂ…固定端支持装置、Ｃ…緊張端支持装置、１…プレストレストコンクリート製造用型枠、２…プレストレス導入用緊張材、３…油圧ジャッキ。
【図１】
2004243709.tif 000003
【図２】
2004243709.tif 000004
【図３】
2004243709.tif 000005
【図４】
2004243709.tif 000006
【図５】
2004243709.tif 000007
【図６】
2004243709.tif 000008
【図７】
2004243709.tif 000009
【図８】
2004243709.tif 000010
【図９】
2004243709.tif 000011
【図１０】
2004243709.tif 000012
【図１１】
2004243709.tif 000013
【手続補正書】
【提出日】平成15年3月3日(2003.3.3)
【手続補正１】
【補正対象書類名】明細書
【補正対象項目名】請求項４
【補正方法】変更
【補正の内容】
【請求項４】
請求項３に記載のプレストレストコンクリート製品の製造装置であって、圧縮梁に対してその長手方向に移動可能な状態に設けられた可動枠と、当該可動枠に固定され且つプレストレス導入用緊張材を挿入する複数の貫通孔が形成された支圧板とで前記の移動可能な支持装置を構成し、可動枠と圧縮梁との間に、圧縮梁の長手方向と直角な軸芯周りに回転自在で且つ逆ねじ部が形成された回転軸を設け、前記逆ねじ部には、斜面の傾斜方向を互いに逆にしたキャンバーを螺着する一方、可動枠と圧縮梁との相対向する面には、夫々、前記キャンバーの斜面と対向する斜面が形成されたキャンバー受けを設け、前記回転軸の回転操作により、前記キャンバーを互いに逆方向に移動させて、前記支持装置の圧縮梁側への移動を阻止する第一状態と、移動を許容する第二状態とに切り換えるプレテンション解放装置を構成したことを特徴とするプレストレストコンクリート製品の製造装置。